(57)【要約】【課題】行事黒板は過ぎ去った日を×印や当日に目印をつけているだけである。これでは、本日や曜日をすばやく見つけにくい欠点がある。過ぎ去った日を透明カラーフィルムで被覆すると当日が素早く見つけ出せ、週や月の位置が分かるようにすることを特徴とする。【解決手段】透明カラーフィルムを巻き取る巻取具と透明フィルムを巻き取る巻取具をつけ、過ぎ去った日と曜日を被覆する場合は、透明フィルムを巻き取ると透明カラーフィルムが引っ張られて過ぎ去った日と曜日が被覆されるので当日がすぐ分かる。巻取具は、自然には回転しないようする。巻取具の裏面に磁石や両面テープ等をつけて、行事黒板に簡単に付着するようにする。【選択図】    図１
2012000924.tif 000002
【特許請求の範囲】
【請求項１】
行事黒板の過ぎ去った日と曜日を透明カラーフィルムで被覆する過日被覆透明カラーフィルムを巻取ために、丸棒に透明カラーフィルムを巻き、この丸棒の両端に回転するよう丸棒の軸受けを付けた過日被覆透明カラーフィルムの巻取具。
【請求項２】
行事黒板の月はじめの方に付ける過日を被覆する透明カラーフィルムと月末の方の１日分ずつの線の印のある透明フィルムを継ぎ合わせて、丸棒に透明フィルムを巻き、この丸棒の両端に回転するよう丸棒の軸受けを付けた透明フイルム巻取具。
【請求項３】
行事黒板の過日を被覆する透明カラーフィルムと月末の方に引く透明フィルムを支えるフィルムの幅の長さのたわみ防止板を組み合わせた過日被覆透明カラーフィルム巻取具と透明フィルム巻取具。
【請求項４】
行事黒板の透明カラーフィルムを巻取ために、丸棒に透明カラーフィルムを巻き、この丸棒の両端に回転するよう丸棒の軸受けを付けた巻取具と透明フィルムを巻取ために、丸棒に透明フィルムを巻き、この丸棒の両端に回転するよう丸棒の軸受けを付けた巻取具の裏面を行事板に接着する過日被覆透明カラーフィルム巻取具と透明フィルム巻取具。
【請求項５】
月暦の過ぎ去った日を被覆する透明カラーフィルムの下方に１週間分を被覆する透明カラー板を付けて、その下方に１日１日を被覆する透明カラー板７枚に1枚ずつ透明蝶番を付けて、１日を被覆する透明カラー板に磁石を付けて、１週間分を被覆する透明カラー板にも磁石を付けて、１日を被覆する透明カラー板の磁石と１週間分を被覆する透明カラー板の磁石が重なるようにした被覆する過日被覆透明カラーフィルムを巻取ために、丸棒に透明カラーフィルムを巻き、この丸棒の両端に回転するよう丸棒の軸受けを付けた過日被覆透明カラーフィルム巻取具。
【請求項６】
透明カラーフィルムを巻取ために、丸棒に透明カラーフィルムを巻き、この丸棒の両端に回転するよう丸棒の軸受けを付けた過日被覆透明カラーフィルム巻取具と透明フィルム巻取具が高所の場合に下方で巻き取るための軸受の下の丸棒に引きかけた丸棒の補助回転棒のある過日被覆透明カラーフィルム巻取具と透明フィルム巻取具。
【発明の詳細な説明】
【技術分野】
【０００１】
本発明は、行事黒板の過ぎ去った日を透明カラーフィルムで被覆する巻取具に関するものである。
【背景技術】
【０００２】
従来は、行事黒板は過ぎ去った日を×印をつけたり、消したり、当日の欄に目印等をつけるだけである。
【発明の概要】
【発明が解決しようとする課題】
【０００３】
従来は、行事黒板は過ぎ去った日を×印をつけたり、消したり、当日の欄に目印をつけるだけである。これでは、本日や曜日をすばやく見つけ出しにくい欠点がある。本発明は、この欠点を解決するためになされたものである。
【課題を解決するための手段】
【０００４】
上記の問題点を解決するために，本発明は、行事黒板の過ぎ去った日と曜日を透明のカラーフィルムで被覆する。これからの日々は透明フィルムで被覆している。透明カラーフィルムと透明フィルムを継ぎ合わせるようにする。
【０００５】
透明カラーフィルムを巻き取る巻取具と透明フィルムを巻き取る巻取具をつける。過ぎ去った日と曜日を被覆する場合は、透明フィルムを巻き取ると透明カラーフィルムが引っ張られて過ぎ去った日と曜日が被覆される。巻取具は、フィルムを引く強さで回転して、自然には回転しないように回転防止具をつける。巻取具の裏面に磁石や両面テープ等をつけて、行事黒板に付着させる。
【０００６】
横書きの行事黒板は、過ぎ去った日を被覆する透明カラーフィルムと透明フィルムが日と曜日を被覆する長さが長くなり、たわみができるのでたわまないように透明カラーフィルムと透明フィルムを支えるフィルムのたわみ防止板をつける。また、このたわみ防止板の裏面に磁石や両面テープ等をつけておき、行事黒板に付着するようにする。
【０００７】
縦書きの行事黒板は、透明カラーフィルムを巻き取る巻取具を上部につけるだけでよい。過ぎ去った日を被覆する透明カラーフィルムの重さで下方に下がるので透明フィルムと透明フィルムを巻き取る巻取具は必要ない。透明カラーフィルムの先端部に重りをつけると過ぎ去った日や曜日が被覆し易くなる。
【０００８】
行事黒板の日と曜日が高所の場合は、透明カラーフィルムを巻取ために、丸棒に透明カラーフィルムを巻き、この丸棒の両方に回転するように丸棒の軸受けを付けた過日被覆透明カラーフィルム巻取具と透明フィルム巻取具を下方で巻き取れるようにしなければならない。
【０００９】
月暦の過ぎ去った日を被覆する透明カラーフィルムの下方に１週間分を被覆する透明カラー板を付けて、その下方に１日１日を被覆する透明カラー板７枚に1枚ずつ透明蝶番を付ける。１日を被覆する透明カラー板に磁石を付けて、１週間分を被覆する透明カラー板にも磁石を付けて、１日を被覆する透明カラー板の磁石と１週間分を被覆する透明カラー板の磁石が重なるようにする。過ぎ去った日を１日分ずつ下におろすようにする。これを月暦の１２月の裏にはりつけて使用する。
【発明の効果】
【００１０】
行事黒板の過ぎ去った日や曜日が透明カラーフィルムで被覆されているので本日や曜日が一目でわかる。一カ月がどれだけ過ぎているか感覚的に分かる。何月何日という表示法もあるが、これは点としての感覚である。この過ぎ去った日を被覆する行事黒板は、今日の位置が分かる。また、過ぎ去った日が何曜日であったかは透明のカラーフィルムであるのですぐ分かる。また、何曜日は、何日であったのかも透明のカラーフィルムであるのですぐ分かる。これは、行事黒板に磁石や両面テープ等で付着させられるので簡単に現在使用している行事黒板に使用することができる。
【図面の簡単な説明】
【００１１】
【図１】本発明の使用例の正面図である。
【図２】透明カラーフィルム巻取具の正面図である。
【図３】透明フィルム巻取具の正面図である。
【図４】巻取具軸受底板の斜視図である。
【図５】たわみ防止板の正面図である。
【図６】月暦の使用例の正面図である。
【発明を実施するための形態】
【００１２】
本発明は、横書きの行事黒板の過ぎ去った日と曜日を透明のカラーフィルムで被覆する。これからの日々は透明フィルムで引かれている。透明カラーフィルムと透明フィルムを継ぎ合わせる。
【００１３】
横書きの行事黒板の透明カラーフィルム巻取具と透明フィルムを巻き取る巻取具が必要である。被覆透明カラーフィルムを巻取ために、丸棒に透明カラーフィルムを巻き、この丸棒の両方に回転するよう丸棒の軸受けを付けた巻取具である。過ぎ去った日と曜日を被覆する場合は、透明フィルムの巻取具で巻き取ると透明カラーフィルムが引っ張られて過ぎ去った日と曜日が被覆される。
【００１４】
巻取具は、フィルムを引く強さで回転して、自然には回転しないようにする。また、巻取具の裏面に磁石をつけて、行事黒板に付着するようにする。
【００１５】
横書きの行事黒板は、過ぎ去った日を被覆する透明カラーフィルムと透明フィルムが日と曜日を被覆する長さが長くなり、たわみができるのでたわまないように透明カラーフィルムと透明フィルムを支えるフィルムの幅の長さの支え板を付けて、その下方の裏側に磁石や両面テープを付けて行事黒板に付着させる。
【００１６】
縦書きの行事黒板は、透明カラーフィルムを巻き取る巻取具を上部にだけにつければよい。過ぎ去った日を被覆する透明カラーフィルムの重さで下方に下がるので透明フィルムと透明フィルムを巻き取る巻取具は必要ない。透明カラーフィルムの先端部に重りをつけると過ぎ去った日や曜日が被覆し易くなる。
【００１７】
行事黒板の日と曜日が高所の場合は、透明カラーフィルムを巻取ために、丸棒に透明カラーフィルムを巻き、この丸棒の両方に回転するよう丸棒の軸受けを付けた過日被覆透明カラーフィルム巻取具と透明フィルム巻取具を下方で巻き取ために、軸受の下の丸棒に引きかけた補助回転棒を回転して下方で巻き取ることができる。
【００１８】
月暦の過ぎ去った日を被覆する透明カラーフィルムの下方に１週間分を被覆する透明カラー板を付けて、その下方に１日１日を被覆する透明カラー板７枚に1枚ずつ透明蝶番を付けて、１日を被覆する透明カラー板に磁石を付けて、１週間分を被覆する透明カラー板にも磁石を付けて、１日を被覆する透明カラー板の磁石と１週間分を被覆する透明カラー板の磁石が重なるようにする。過ぎ去った日を１日分ずつ下方に回転して下ろすようにする。
【実施例】
【００１９】
本発明は、横書きの行事黒板の過ぎ去った日と曜日を透明のカラーフィルム１で被覆する。これからの日々は透明フィルム３で被覆している。透明カラーフィルム１と透明フィルム３を継ぎ合わせるようにする。
【００２０】
横書きの行事黒板の図２透明カラーフィルム巻取具と図３透明フィルム巻取具が必要である。過ぎ去った日と曜日を被覆する場合は、図３透明フィルム巻取具で透明フィルム３を巻き取ると透明カラーフィルム３が引っ張られて過ぎ去った日と曜日が被覆される。
【００２１】
図２透明カラーフィルム巻取具と図３透明フィルム巻取具は、フィルムを引く強さで回転して、自然には回転しないように巻取軸回転防止締めネジ７をつける。また、図２透明カラーフィルム巻取具と図３透明フィルム巻取具の裏面にフィルム巻取底板磁石１５や両面テープをつけて、行事黒板に付着するようにする。
【００２２】
横書きの行事黒板は、過ぎ去った日を被覆する透明カラーフィルム１と透明フィルム３が日と曜日を引く長さが長くなり、たわみができるのでたわまないように透明カラーフィルム１と透明フィルム３を支えるフィルムたわみ防止板１６をつける。また、このフィルムたわみ防止板の裏面に磁石２０や両面テープをつけておき、行事黒板に付着するようにする。
【００２３】
縦書きの行事黒板は、透明カラーフィルム１を巻き取る巻取具図２を上部にだけにつければよい。過ぎ去った日を被覆する透明カラーフィルム１の重さで下方に下がるので透明フィルム３と透明フィルムを巻き取る巻取具図３は必要ない。透明カラーフィルム１の先端部に重りをつけると過ぎ去った日や曜日が被覆し易くなる。  
【００２４】
月暦の過ぎ去った日を被覆する月暦カラーフィルム１９の下方に１週間分を被覆する透明カラー板２１を付けて、その下方に１日１日を被覆する透明カラー板７枚に１枚ずつ透明蝶番を付けて、１日を被覆する１日分カラー板２２に磁石を付けて、１週間分を被覆する透明カラー板にも磁石を付けて、１日を被覆する透明カラー板の磁石と１週間分を被覆する透明カラー板２１の磁石が重なるようにする。これで、月暦の過日も透明カラーフィルムの巻取具を使うことができる。
【産業上の利用可能性】
【００２５】
企業をはじめ役所、学校など行事黒板のあるところは数限りなく多く、目標達成のために日々の行事を書いている。この行事黒板の本日の行事がはっきりすることで共通理解を図ることができる。そのため過ぎ去った日や曜日を透明カラーフィルムで被覆すると本日の行事がはっきりする。また、本日や曜日も一目でわかる。一カ月がどれだけ過ぎているか日々の位置を感覚的に知ることができる。それで、今月も残り何日ということも被覆されている日や曜日で意識できる。何日までにというような行事も計画的に遂行することができる。何月何日という表示法もあるが、これは点としての感覚である。この過ぎ去った日を被覆する行事黒板は、今日の位置が分かる。また、過ぎ去った日が何曜日であったかは透明のカラーフィルムであるのですぐ分かる。また、何曜日は、何日であったのかも透明のカラーフィルムであるのですぐに分かる。この過日被覆透明カラーフィルム巻取具は、現在使用している行事黒板に巻取具の磁石や両面テープで付着させて使用することができる。
【符号の説明】
【００２６】
１  透明カラーフィルム
２  透明カラーフィルム透明フィルム継目
３  透明フィルム
４  透明カラーフィルム巻取軸
５  透明カラーフィルム巻取回転ネジ
６  巻取軸受
７  巻取軸回転防止締めネジ
８  巻取軸受穴
９  透明カラーフィルム巻取底板
１０  透明フィルム軸受
１１  透明フィルム巻取軸
１２  透明フィルム軸受底板
１３  透明フィルム巻取軸回転防止締めネジ
１４  透明カラーフィルム巻取回転ネジ
１５  フィルム巻取底板磁石
１６  フィルムたわみ防止板
１７  フィルムたわみ防止磁石板
１８  月暦カラーフィルム巻取板
１９  月暦カラーフィルム
２０  １週間分カラー板１日分磁石
２１  １週間分カラー板
２２  １日分カラー板
２３  １日分カラー板磁石
２４  月暦カラーフィルム巻取軸
【図１】
2012000924.tif 000003
【図２】
2012000924.tif 000004
【図３】
2012000924.tif 000005
【図４】
2012000924.tif 000006
【図５】
2012000924.tif 000007
【図６】
2012000924.tif 000008